(57)【要約】      （修正有）【課題】目地部を覆う左右の目地プレートに左右の隅部カバープレートを取付け、地震で揺れ動いても、左右の隅部カバープレートの端部が回動しなくなったりするのを効率よく阻止することができる床用目地装置を提供する。【解決手段】内側床躯体２と外側床躯体３との間に形成されたアングル状の目地部４を覆う台形状の左右の目地プレート９を用いた床用目地装置１において、左右の目地プレート９の当接側の先端部を同一平面に形成するとともに、反当接側の左右の目地プレート９の先端部側へ突出する左右の隅部カバープレート１３と、左右の隅部カバープレート１３の端部に端部が位置する左右のカバープレート１５と、左右のカバープレート１５の端部のいずれか一方に、左右の隅部カバープレート１３の回動時に左右のカバープレート１５の端部と当接して回動しなくなるのを阻止する当接防止折り曲げ部１７を形成して床用目地装置１を構成している。【選択図】図１
2011252327.tif 000002
【特許請求の範囲】
【請求項１】
内側床躯体と外側床躯体との間に形成されたアングル状の目地部を隙間なく当接するように覆う台形状の左右の目地プレートを用いた床用目地装置において、前記左右の目地プレートの当接側の先端部を同一平面となるように形成するとともに、該同一平面部にヒンジ部材を介して回動可能で、かつ反当接側が同一平面以外の前記左右の目地プレートの先端部側へ突出する左右の隅部カバープレートと、前記左右の目地プレートの同一平面以外の先端部位で、かつ前記左右の隅部カバープレートの端部に端部が位置するようにヒンジ部材を介して回動可能に取付けられた左右のカバープレートと、前記左右の隅部カバープレートの端部と前記隣り合う左右のカバープレートの端部のいずれか一方に、該左右の隅部カバープレートの回動時に左右のカバープレートの端部と当接して回動しなくなるのを阻止する当接防止折り曲げ部を形成したことを特徴とする床用目地装置。
【請求項２】
左右の隅部カバープレートの左右のカバープレート側の後端部に該左右の隅部カバープレートが回動した時に、上方へ突出するのを阻止する突出防止折り曲げ部を形成したことを特徴とする請求項１記載の床用目地装置。
【発明の詳細な説明】
【技術分野】
【０００１】
本発明は内側床躯体と外側床躯体との間に形成されたアングル状の目地部を覆う床用目地装置に関する。
【背景技術】
【０００２】
従来、この種の床用目地装置は人が通行したり、トラックが通行するため、金属材製の浅皿状の目地プレート本体を用いた目地プレートを使用している。
このような目地プレートを使用した場合、地震で目地プレートが移動すると、目地プレートの先端部との間に凹部ができたり、先端部が外方へ突出するため、危険になるため、目地プレートの先端部に上下方向に回動するカバープレートを用いている。
【０００３】
このようなカバープレートは直線状に配置された所では問題が生じないが、アングル状の目地部を覆う左右の隅部カバープレートは、該左右の隅部カバープレートの先端部が下方へ回動すると、支点の関係で先端部側の端部が他方の端部方向へ突出するようになり、左右の隅部カバープレートの端部が衝突状態となって回動を阻止し、危険な状態になるという欠点があった。
【先行技術文献】
【特許文献】
【０００４】
【特許文献１】特許３４０９３１２号公報
【特許文献２】特開２００９−６８２１２号公報
【発明の概要】
【発明が解決しようとする課題】
【０００５】
本発明は以上のような従来の欠点に鑑み、アングル状の目地部を覆う左右の目地プレートに左右の隅部カバープレートを取付けても、該左右の目地プレートが地震で揺れ動いても、左右の隅部カバープレートの端部が左右のカバープレートの端部と突き当って回動しなくなったりするのを効率よく阻止することができ、安全に使用することができる床用目地装置を提供することを目的としている。
【０００６】
本発明の前記ならびにそのほかの目的と新規な特徴は次の説明を添付図面と照らし合わせて読むと、より完全に明らかになるであろう。
【０００７】
ただし、図面はもっぱら解説のためのものであって、本発明の技術的範囲を限定するものではない。
【課題を解決するための手段】
【０００８】
上記目的を達成するために、本発明は内側床躯体と外側床躯体との間に形成されたアングル状の目地部を隙間なく当接するように覆う台形状の左右の目地プレートを用いた床用目地装置において、前記左右の目地プレートの当接側の先端部を同一平面となるように形成するとともに、該同一平面部にヒンジ部材を介して回動可能で、かつ反当接側が同一平面以外の前記左右の目地プレートの先端部側へ突出する左右の隅部カバープレートと、前記左右の目地プレートの同一平面以外の先端部位で、かつ前記左右の隅部カバープレートの端部に端部が位置するようにヒンジ部材を介して回動可能に取付けられた左右のカバープレートと、前記左右の隅部カバープレートの端部と前記隣り合う左右のカバープレートの端部のいずれか一方に、該左右の隅部カバープレートの回動時に左右のカバープレートの端部と当接して回動しなくなるのを阻止する当接防止折り曲げ部を形成して床用目地装置を構成している。
【発明の効果】
【０００９】
以上の説明から明らかなように、本発明にあっては次に列挙する効果が得られる。
（１）請求項１により、左右の目地プレートが地震で揺れ動いても、左右の隅部カバープレートの端部が左右の隅部のカバープレートの端部あるいは隣り合う左右のカバープレートの端部のいずれか一方に形成された当接防止折り曲げ部によって、衝突して回動しなくなるのを確実に阻止することができる。
したがって、確実に左右の隅部カバープレートを回動させることができ、従来のように回動できず、突出した危険な状態となるのを阻止でき、安全に使用することができる。
（２）前記（１） によって、左右の目地プレートの当接側の先端部を同一平面に形成するとともに、左右の隅部カバープレートを同一平面部にヒンジ部材を介して取付けるだけでよいので、容易に実施することができる。
（３）請求項２も前記（１）、（２）と同様な効果が得られるとともに、突出防止折り曲げ部によって、左右の隅部カバープレートが回動しても、隅部が上方へ突出するのを阻止でき、安全に使用することができる。
【図面の簡単な説明】
【００１０】
【図１】本発明を実施するための第１の形態の平面図。
【図２】図１の２−２線に沿う断面図。
【図３】図１の３−３線に沿う断面図。
【図４】本発明を実施するための第１の形態の目地部の説明図。
【図５】本発明を実施するための第１の形態の左右の目地プレートの説明図。
【図６】本発明を実施するための第１の形態の左右の隅部カバープレートの平面図。
【図７】本発明を実施するための第１の形態の左右の隅部カバープレートの底面図。
【図８】本発明を実施するための第１の形態の目地部が広くなった動作説明図。
【図９】本発明を実施するための第１の形態の目地部が狭くなった動作説明図。
【図１０】本発明を実施するための第２の形態の平面図。
【図１１】図１０の１１−１１線に沿う断面図。
【図１２】本発明を実施するための第２の形態の左右の隅部カバープレートの説明図。
【図１３】本発明を実施するための第３の形態の平面図。
【図１４】図１３の１４−１４線に沿う断面図。
【図１５】本発明を実施するための第３の形態の左右のカバープレートの説明図。
【発明を実施するための形態】
【００１１】
以下、図面に示す本発明を実施するための形態により、本発明を詳細に説明する。
【００１２】
図１ないし図９に示す本発明を実施するための第１の形態において、１は内側床躯体２と外側床躯体３との間にアングル状の目地部４を形成した部位に設置される本発明の床用目地装置で、この床用目地装置１は前記内側床躯体２の目地部側に形成されたアングル状の目地プレート支持凹部５と、この目地プレート支持凹部５と対応する部位の前記外側床躯体３の目地部側に、該目地部４の幅寸法とほぼ同じ幅寸法で、反目地部側が傾斜面６に形成されたアングル状の目地プレートスライド支持凹部７と、後端部が前記目地プレート支持凹部５に支持され、先端部が前記目地プレートスライド支持凹部７にスライド移動可能に支持された隅部の目地部を覆う当接側の先端部が同一平面８、８となるように形成された左右の目地プレート９、９と、この左右の目地プレート９、９の後端部を、先端部が上方へ回動できるように係止する、前記目地プレート支持凹部５に取付けられた従来から一般に使用されている目地プレート係止手段０１、１０と、前記左右の目地プレート９、９の先端部の同一平面８、８部にヒンジ部材１１、１１を介して回動可能で、かつ反当接側が同一平面８、８以外の前記左右の目地プレート９、９の先端部側へ突出する突出部１２、１２を有する左右の隅部カバープレート１３、１３と、前記左右の目地プレート９、９の同一平面８、８以外の先端部部位で、かつ前記左右の隅部カバープレート１３、１３の端部に端部が位置するようにヒンジ部材１４、１４を介して回動可能に取付けられた左右のカバープレート１５、１５と、前記左右の隅部カバープレート１３、１３の前記隣り合う左右のカバープレート１５、１５の端部部位と当接する端部部位に形成されたヒンジ部材１６、１６によって回動するように取付けられた当接防止折り曲げ部１７、１７と、前記左右の隅部カバープレート１３、１３の前記左右のカバープレート１５、１５側の後端部に、該左右の隅部カバープレート１３、１３が回動した時に上方へ突出するのを阻止する突出防止折り曲げ部１８、１８と、前記左右の目地プレート９、９と並列状態となるように、前記目地プレート支持凹部５と前記目地プレートスライド支持凹部７に支持された先端部にカバープレート１９、１９を備えた長方形状の目地プレート２０、２０とで構成されている。
【００１３】
上記構成の床用目地装置１は、通常状態では図１に示すように内側床躯体２と外側床躯体３との間のアングル状の目地部４は左右の目地プレート９、９、目地プレート２０、２０および左右の隅部カバープレート１３、１３、左右のカバープレート１５、１５、カバープレート１９、１９でほぼ平坦となるように覆われた状態となっており、人の通行やトラックの通行が安全にできる状態となっている。
【００１４】
地震で目地部４が広くなるように内側床躯体２と外側床躯体３とが揺れ動くと、図８に示すように目地プレート２０、２０、左右の目地プレート９、９の先端部は目地プレートスライド支持凹部７上をスライド移動し、左右の隅部カバープレート１５、１５およびカバープレート１９、１９の先端部は目地プレートスライド支持凹部７の底面を当接するように下方へ回動し、大きな凹部が生じるのを防止するが、この時、左右の隅部カバープレート１３、１３が下方へ回動すると、該左右の隅部カバープレート１３、１３の左右のカバープレート１５、１５側の外側端部１３ａ、１３ａは、該左右のカバープレート１５、１５の端部側へ突出するが、当接防止折り曲げ部１７、１７が回動して左右のカバープレート１５、１５の端部１５ａ、１５ａと衝突状態の噛み合い状態が回避されて、スムーズに回動する。
【００１５】
また、左右の目地プレート９、９側の左右の隅部カバープレート１３、１３の端部の突出防止折り曲げ部１８、１８により、左右の隅部カバープレート１３、１３の先端部が下方へ回動しても、上方へ突出するのを阻止でき、安全に使用することができる。
【００１６】
なお、地震で目地部４が狭くなって図９に示すように左右の目地プレート９、９、目地プレート２０、２０の先端部が外側床躯体３上へ乗り上げた場合も、左右の隅部カバープレート１３、１３、左右のカバープレート１５、１５およびカバープレート１９、１９は、前述と同様に先端部が下方へスムーズに回動して、危険な状態になるのを防止することができる。    
【００１７】
[発明を実施するための異なる形態]
次に、図１０ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図１０ないし図１２に示す本発明を実施するための第２の形態において、前記本発明を実施するための第１の形態と主に異なる点は、先端部が同一平面８、８と平行となる隅部を有する目地プレートスライド支持凹部７ａを用いるとともに、先端部が同一平面８、８と平行な平行面２１、２１の左右の隅部カバープレート１３Ａ、１３Ａを用いた点で、このように構成した床用目地装置１Ａにしても、前記本発明を実施するための第１の形態と同様な作用効果が得られる。
【００１９】
図１３ないし図１５に示す本発明を実施するための第３の形態において、前記本発明を実施するための第１の形態と主に異なる点は、当接防止折り曲げ部のない左右の隅部カバープレート１３Ｂ、１３Ｂを用いるとともに、端部に当接防止折り曲げ部１７、１７を形成した左右のカバープレート１５Ａ、１５Ａを用いた点で、このように構成した床用目地装置１Ｂにしても、前記本発明を実施するための第１の形態と同様な作用効果が得られる。
【産業上の利用可能性】
【００２０】
本発明は内側床躯体と外側床躯体との間に形成されたアングル状の目地部を覆う床用目地装置を製造する産業で利用される。
【符号の説明】
【００２１】
１、１Ａ、１Ｂ：床用目地装置、  ２：内側床躯体、
３：外側床躯体、      ４：目地部、
５：目地プレート支持凹部、  ６：傾斜面、
７：目地プレートスライド支持凹部、
８：平面、        ９：左右の目地プレート、
１０：目地プレート係止手段、  １１：ヒンジ部材、
１２：突出部、
１３、１３Ａ、１３Ｂ：左右の隅部カバープレート、
１４：ヒンジ部材、
１５、１５Ａ：左右のカバープレート、
１６：ヒンジ部材、      １７：当接防止折り曲げ部、
１８：突出防止折り曲げ部、  １９：カバープレート、
２０：目地プレート、    ２１：平行面。
【図１】
2011252327.tif 000003
【図２】
2011252327.tif 000004
【図３】
2011252327.tif 000005
【図４】
2011252327.tif 000006
【図５】
2011252327.tif 000007
【図６】
2011252327.tif 000008
【図７】
2011252327.tif 000009
【図８】
2011252327.tif 000010
【図９】
2011252327.tif 000011
【図１０】
2011252327.tif 000012
【図１１】
2011252327.tif 000013
【図１２】
2011252327.tif 000014
【図１３】
2011252327.tif 000015
【図１４】
2011252327.tif 000016
【図１５】
2011252327.tif 000017